(57)【要約】【課題】環境試験装置で試験を行う際の試験準備時間を低減できるようにする。【解決手段】端子ユニット２０は、環境試験装置の断熱壁１４であって試験室内に連通する導通孔１５が形成された断熱壁１４に取り付けられる。端子ユニット２０は、端子３２が設けられ断熱壁１４の内壁１４ａの外側に配置される内端子台２２と、端子３４が設けられ断熱壁１４の外壁１４ｂの外側に配置される外端子台２４と、導通孔１５内に挿通される電気線３６を有し、内端子台２２の端子３２と外端子台２４の端子３４とを電気的に接するコネクタ手段２６と、導通孔１５内に挿通される連結部材４７を有し、該連結部材４７によって内端子台２２と外端子台２４とを互いに連結する連結手段２８と、を備えている。【選択図】図２
2014163718.tif 000002
【特許請求の範囲】
【請求項１】
環境試験装置の断熱壁であって試験室内に連通する導通孔が形成された断熱壁に取り付けられる端子ユニットであって、
端子が設けられており、前記断熱壁における試験室側の外面の外側に配置される内端子台と、
端子が設けられており、前記断熱壁における試験室とは反対側の外面の外側に配置される外端子台と、
前記導通孔内に挿通される電気線を有し、前記内端子台の前記端子と前記外端子台の前記端子とを電気的に接続するコネクタ手段と、
前記導通孔内に挿通される連結部材を有し、該連結部材によって前記内端子台と前記外端子台とを互いに連結する連結手段と、を備えている端子ユニット。
【請求項２】
前記導通孔の断面形状に対応した断面形状を有し、前記導通孔に挿入される挿入部が設けられ、
前記挿入部には、前記連結部材を挿通させる挿通孔が形成されている請求項１に記載の端子ユニット。
【請求項３】
前記挿入部は変形容易な材質で形成されている請求項２に記載の端子ユニット。
【請求項４】
前記挿入部は、複数の導通孔の断面形状に対応可能なように、異なる断面形状からなる複数の部位を有している請求項２又は３に記載の端子ユニット。
【請求項５】
前記内端子台は、前記導通孔の断面形状よりも大きな断面を有する当接部を備えており、
前記当接部は、前記挿入部に固定されるとともに、前記挿入部が導通孔内に挿入された状態で、前記断熱壁における試験室側の外面に当接するように構成されている請求項１から４の何れか１項に記載の端子ユニット。
【請求項６】
前記連結部材の先端部には雄ねじ部が形成され、前記雄ねじ部は、雌ねじ部に螺合され、
前記連結部材及び前記雌ねじ部材の一方が前記内端子台に固定され、
前記外端子台には、前記連結部材を挿通可能な挿通孔が形成されている請求項５に記載の端子ユニット。
【請求項７】
前記コネクタ手段は、前記内端子台の端子に電気的に接続された内側コネクタと、前記外端子台の端子に電気的に接続された外側コネクタとを備えており、
前記外側コネクタは、前記連結手段によって前記内端子台と前記外端子台とを互いに連結することによって前記内側コネクタに結合される位置に設けられている請求項１から６の何れか１項に記載の端子ユニット。
【請求項８】
断熱壁によって形成された試験室を有し、前記断熱壁に前記試験室内に連通する導通孔が形成されている環境試験装置と、
請求項１から７の何れか１項に記載の端子ユニットと、を備えている端子ユニット付き環境試験装置。
【発明の詳細な説明】
【技術分野】
【０００１】
本発明は、端子ユニット及び端子ユニット付き環境試験装置に関するものである。
【背景技術】
【０００２】
従来、下記特許文献１〜３に開示されているように、試験対象となる試料が配置される試験室を有する環境試験装置が知られている。試験室は、内壁と、外壁と、内壁及び外壁間に配設された断熱材とからなる断熱壁を箱形に形成することによって構成されている。一部の断熱壁（例えば側方の断熱壁）には、試験室内と外部とを連通する導通孔が形成されている。この導通孔を通して、電気線を試験室に導入し、試験室内の試料に結線することができる。
【先行技術文献】
【特許文献】
【０００３】
【特許文献１】特開２００９−２１４０８０号公報
【特許文献２】米国特許第６９７６３４０号明細書
【特許文献３】米国特許第７２５２５８６号明細書
【発明の概要】
【発明が解決しようとする課題】
【０００４】
外部の測定器や電源等に繋がれた電気線を断熱壁に形成された導通孔に挿入し、この電気線を試験室内にセットされた試料に結線する作業は、煩わしく、作業時間が長くなるという問題がある。すなわち、試験室内は狭いため、試験室内で試料に電気線を結線する作業は煩わしいものであり、しかも手元が暗い中での作業となる。このため、作業者の負担が大きいばかりでなく、作業性が悪く、作業時間が長くなってしまう。したがって、試験準備時間が長くなってしまうという問題がある。
【０００５】
そこで、本発明は、前記従来技術を鑑みてなされたものであり、その目的とするところは、環境試験装置で試験を行う際の試験準備時間を低減できるようにすることにある。
【課題を解決するための手段】
【０００６】
前記の目的を達成するため、本発明は、環境試験装置の断熱壁であって試験室内に連通する導通孔が形成された断熱壁に取り付けられる端子ユニットであって、端子が設けられており、前記断熱壁における試験室側の外面の外側に配置される内端子台と、端子が設けられており、前記断熱壁における試験室とは反対側の外面の外側に配置される外端子台と、前記導通孔内に挿通される電気線を有し、前記内端子台の前記端子と前記外端子台の前記端子とを電気的に接続するコネクタ手段と、前記導通孔内に挿通される連結部材を有し、該連結部材によって前記内端子台と前記外端子台とを互いに連結する連結手段と、を備えている端子ユニットである。
【０００７】
本発明では、内端子台を断熱壁における試験室側の外面の外側に配置する一方で、外端子台を断熱壁における試験室とは反対側の外面の外側に配置し、この状態で、断熱壁の導通孔に挿通される連結部材によって内端子台と外端子台とを連結することができる。そして、外端子台の端子には、外部の測定器や電源等に繋がれた電気線を接続できるため、結線作業は非常に楽であり、しかも時間も要しない。一方、試験対象となる試料には、試験室外で電気線を結線し、その後、当該試料を試験室内に配置することができる。したがって、試料を試験室内にセットした後は、試料に結線された電気線を内端子台の端子に結線するだけでよい。すなわち、試料への細かな配線や半田付け等を試験室外で行うことができるため、手間のかかる試料への結線作業の負担を軽減することができる。しかも、狭い試験室内での作業は、試料に結線された電気線を内端子台の端子に結線するだけでいい。このため、狭い試験室内での作業を減らすことができ、作業者の負担を軽減できるとともに作業時間を低減することができる。したがって、試験準備作業の効率化を図ることができる。また、内端子台の端子と外端子台の端子とはコネクタ手段によって電気的に接続されているので、試料に結線された電気線を内端子台の端子に接続することにより、試料は、試験室外部からの電力供給や試験室外部との信号の授受が可能な状態となる。
【０００８】
ここで、前記導通孔の断面形状に対応した断面形状を有し、前記導通孔に挿入される挿入部が設けられていてもよく、この場合、前記挿入部には、前記連結部材を挿通させる挿通孔が形成されていてもよい。
【０００９】
この態様では、挿入部によって導通孔を塞ぐことができるため、断熱壁における断熱性能が低下することを抑制することができる。しかも、挿入部には連結部材を挿通させる挿通孔が形成されているため、連結部材によって内端子台と外端子台とを連結する構成の妨げにもならない。
【００１０】
前記挿入部は変形容易な材質で形成されていてもよい。この態様では、挿入部が変形容易な材質で形成されているため、導通孔内にコネクタ手段の電気線を挿通する際に、挿入部が邪魔になり難くすることができる。
【００１１】
前記挿入部は、複数の導通孔の断面形状に対応可能なように、異なる断面形状からなる複数の部位を有していてもよい。この態様では、端子ユニットは、導通孔の大きさや形状の異なる複数の環境試験装置に対して、共通の端子ユニットとすることができる。したがって、管理品番数が増大することを抑制することができる。
【００１２】
前記内端子台は、前記導通孔の断面形状よりも大きな断面を有する当接部を備えていてもよく、前記当接部は、前記挿入部に固定されるとともに、前記挿入部が導通孔内に挿入された状態で、前記断熱壁における試験室側の外面に当接するように構成されていてもよい。この態様では、挿入部が導通孔に挿入されると、内端子台が断熱壁に対して保持される。このため、連結手段によって外端子台を内端子台に連結するときに、内端子台を一時的に固定することができる。したがって、内端子台に外端子台を連結する作業の負担を軽減することができる。
【００１３】
前記連結部材の先端部には雄ねじ部が形成され、前記雄ねじ部は、雌ねじ部に螺合され、前記連結部材及び前記雌ねじ部材の一方が前記内端子台に固定され、前記外端子台には、前記連結部材を挿通可能な挿通孔が形成されていてもよい。この態様において、雌ねじ部材が内端子台に固定されている場合には、先端部に雄ねじ部が形成された連結部材を外端子台の挿通孔に外側から挿入するとともに導通孔内に挿入し、先端部が内端子台の雌ねじ部に届いたところで、連結部材を軸回りに回動することにより雄ねじ部が雌ねじ部に螺合される。これにより、連結部材を内端子台に締結することができる。一方、連結部材が内端子台に固定されている場合には、連結部材は外端子台の挿通孔に挿通されていて、連結部材の先端部に位置する雄ねじ部が外端子台の外側に突出する。この雄ねじ部に雌ねじ部が螺合される。これにより、外端子台と内端子台とを連結することができる。したがって、内端子台に対する外端子台の連結作業を試験室外での作業とすることができ、試験準備作業の効率化を図ることができる。
【００１４】
前記コネクタ手段は、前記内端子台の端子に電気的に接続された内側コネクタと、前記外端子台の端子に電気的に接続された外側コネクタとを備えていてもよく、前記外側コネクタは、前記連結手段によって前記内端子台と前記外端子台とを互いに連結することによって前記内側コネクタに結合される位置に設けられていてもよい。この態様では、連結手段によって内端子台と外端子台とを互いに連結することにより、外側コネクタが内側コネクタに結合される。したがって、コネクタの結合作業を簡素化することができ、試験準備作業の効率化を図ることができる。
【００１５】
本発明は、断熱壁によって形成された試験室を有し、前記断熱壁に前記試験室内に連通する導通孔が形成されている環境試験装置と、前記端子ユニットと、を備えている端子ユニット付き環境試験装置である。
【発明の効果】
【００１６】
以上説明したように、本発明によれば、環境試験装置で試験を行う際の試験準備時間を低減することができる。
【図面の簡単な説明】
【００１７】
【図１】本発明の実施形態に係る端子ユニット付き環境試験装置の斜視図である。
【図２】環境試験装置に端子ユニットが取り付けられた状態を説明する図である。
【図３】環境試験装置に端子ユニットが取り付けられる前の状態を示す図である。
【図４】本発明のその他の実施形態に係る端子ユニット付き環境試験装置を構成する端子ユニットを説明するための図である。
【図５】本発明のその他の実施形態に係る端子ユニット付き環境試験装置を構成する挿入部を説明するための図である。
【発明を実施するための形態】
【００１８】
以下、本発明を実施するための形態について図面を参照しながら詳細に説明する。
【００１９】
図１に示すように、本実施形態に係る端子ユニット付き環境試験装置は、環境試験装置１０の側壁に端子ユニット２０が取り付けられた構成のものである。環境試験装置１０は、内部に試料（図示省略）が収納される試験室１２を有しており、この試験室１２は、左右の側壁１２ａ，１２ａ、上側の天部１２ｂ、下側の底部１２ｃ、奥側の側壁１２ｄを有している。側壁１２ａ、天部１２ｂ、底部１２ｃは何れも断熱壁１４によって構成されている。試験室１２は、手前の側壁１２ｅが、出入口を開閉可能な扉体によって構成されている。
【００２０】
なお、試験室１２内には、空調空気を作り出すための空調部（ヒータ、冷却器等）が配置されていてもよく、或いは空調部が試験室１２から仕切られた室内に設けられている構成であってもよい。環境試験装置１０は、試料を所定条件の雰囲気に曝し続けて試料に熱負荷を与える恒温槽や恒温恒湿槽、試料に繰り返し熱衝撃を与える熱衝撃試験装置、その他の環境試験装置１０として構成され得る。
【００２１】
端子ユニット２０が取り付けられている側壁１２ａには導通孔１５（図２参照）が形成されている。そして、端子ユニット２０は、この導通孔１５を塞ぐ位置で断熱壁１４に固定されて使用される。端子ユニット２０は、環境試験装置１０に対して着脱可能となっている。
【００２２】
断熱壁１４は、図２及び図３に示すように、槽内側の内壁１４ａと、槽外側の外壁１４ｂと、これら内壁１４ａ及び外壁１４ｂ間に配設されている断熱材１４ｃとによって構成されている。内壁１４ａは試験室１２の内壁１４ａを構成している。内壁１４ａは、断熱壁１４における試験室１２側の外面となり、外壁１４ｂは、断熱壁１４における試験室１２とは反対側の外面となる。
【００２３】
導通孔１５は、内壁１４ａ、断熱材１４ｃ及び外壁１４ｂを断熱壁１４の厚み方向に貫通している。したがって、導通孔１５を通して槽外（試験室１２外）と槽内（試験室１２内）とが連通している。
【００２４】
端子ユニット２０は、端子３２が設けられた内端子台２２と、端子３４が設けられた外端子台２４と、端子３２，３４同士を電気的に接続するコネクタ手段２６と、内端子台２２及び外端子台２４を連結する連結手段２８と、断熱壁１４の導通孔１５に挿入される挿入部３０と、を備えている。
【００２５】
内端子台２２は、薄板材によって構成されており、端子３２が固定された正面部２２ａと、この正面部２２ａの周縁部から張り出した周面部２２ｂとを有している。周面部２２ｂの縁部（正面部２２ａと反対側の縁部）は、断熱壁１４の内壁１４ａの外面（試験室１２側の面）に接触する。内端子台２２が断熱壁１４に取り付けられた状態で、正面部２２ａは、断熱壁１４と略平行な状態となっている。そして、断熱壁１４と正面部２２ａとの間に周面部２２ｂで囲まれた空間が形成されている。つまり、内端子台２２は、断熱壁１４の内壁１４ａの外側（試験室１２内、槽内）に配置されている。なお、周面部２２ｂは、正面部２２ａの周縁部の全体に亘って形成されている必要はない。内端子台２２を断熱壁１４に安定して取り付けられる構成であれば、正面部２２ａの周縁部の一部に周面部２２ｂが形成される構成であってもよい。
【００２６】
端子３２は、正面部２２ａにおける外面に取り付けられており、端子３２に接続された電気線３６は、正面部２２ａの内面側に引き出されている。内端子台２２の端子３２には、試料に結線された図外の電気線を接続することができる。なお、内端子台２２に設けられた端子３２は、１つでも複数でもよい。
【００２７】
外端子台２４は、薄板材によって構成されており、端子３４が固定された正面部２４ａと、この正面部２４ａの周縁部から張り出した周面部２４ｂとを有している。周面部２４ｂの縁部（正面部２４ａと反対側の縁部）は、断熱壁１４の外壁１４ｂの外面（試験室１２とは反対側の面）に接触する。外端子台２４が断熱壁１４に取り付けられた状態で、正面部２４ａは、断熱壁１４と略平行な状態となっている。そして、断熱壁１４と正面部２４ａとの間に周面部２４ｂで囲まれた空間が形成されている。つまり、外端子台２４は、断熱壁１４の外壁１４ｂの外側（試験室１２外、槽外）に配置されている。なお、周面部２４ｂは、正面部２４ａの周縁部の全体に亘って形成されている必要はない。外端子台２４を断熱壁１４に安定して取り付けられる構成であれば、正面部２４ａの周縁部の一部に周面部２４ｂが形成される構成であってもよい。
【００２８】
端子３４は、正面部２４ａにおける外面に取り付けられており、端子３４に接続された電気線３８は、正面部２４ａの内面側に引き出されている。外端子台２４の端子３４には、試験室１２外部に配置された電源や測定機器に接続された図外の電気線を接続することができる。なお、外端子台２４に設けられた端子３４は、１つでも複数でもよい。
【００２９】
コネクタ手段２６は、電気線３６と、電気線３６を介して内端子台２２の端子３２に電気的に接続された内側コネクタ４２と、電気線３８と、電気線３８を介して外端子台２４の端子３４に電気的に接続された外側コネクタ４４とを備えている。内側コネクタ４２が外側コネクタ４４に結合されることにより、内端子台２２の端子３２と外側端子台の端子３４とが電気的に接続されることになる。
【００３０】
挿入部３０は、導通孔１５の断面形状に対応した断面形状を有するとともに、導通孔１５の全体を塞ぐことができる程度の長さを有している。すなわち、挿入部３０の長さは、断熱壁１４の厚みにほぼ等しい。挿入部３０は、導通孔１５の断面形状に対応した断面形状を有するため、挿入部３０が導通孔１５に挿入されると、導通孔１５は挿入部３０によって塞がれる。したがって、挿入部３０により、断熱壁１４の断熱性能が低下することを抑制することができる。なお、挿入部３０の長さは、断熱壁１４の厚みにほぼ等しい長さに限られるものではなく、これよりも短くても、長くてもよい。
【００３１】
挿入部３０は、スポンジゴム等の容易に変形する材質で形成されていてもよい。この場合、挿入部３０が変形するため、コネクタ手段２６の電気線３６が挿入部３０と導通孔１５の内周面との間に配設される場合であっても、挿入部３０が邪魔になることはない。なお、挿入部３０に、電気線３６を挿通させる挿通孔が形成される構成としてもよい。挿入部３０は、断熱性に寄与するものであれば、軟質の材質に限られず、硬質の材質で構成されていてもよい。
【００３２】
内端子台２２は、導通孔１５の断面形状よりも大きな断面を有する当接部２２ｃを備えている。当接部２２ｃは、挿入部３０の断面よりも大きな断面形状を有しており、当接部２２ｃには、挿入部３０の一端部が固定されている。そして、挿入部３０が導通孔１５に挿入されると、当接部２２ｃは、断熱壁１４の内壁１４ａに当接する。挿入部３０が導通孔１５に挿入されると、内端子台２２は断熱壁１４に対して仮保持される。
【００３３】
当接部２２ｃは、内端子台２２の周面部２２ｂのうち、左右一対の部位に固定されている。なお、当接部２２ｃは、内端子台２２の周面部２２ｂのうち、左右一対の部位に固定される構成に代え、周面部２２ｂのうち、上下一対の部位に固定される構成であってもよく、あるいは、内端子台２２の正面部２２ａに固定される構成としてもよい。
【００３４】
連結手段２８は、先端部に雄ねじ部４７ａ（図３参照）が形成され導通孔１５内に挿通される連結部材４７と、連結部材４７の基端部に設けられた頭部４８と、雄ねじ部４７ａが螺合される雌ねじ部４９と、を有している。雌ねじ部４９は、内端子台２２の当接部２２ｃのうち、挿入部３０が固定された面とは反対側の面に固定されている。挿入部３０には、軸方向に貫通する挿通孔３０ａが形成されており、連結部材４７は挿入部３０の挿通孔３０ａに挿通されている。当接部２２ｃには、挿入部３０の挿通孔３０ａに連通するように貫通孔２２ｄが形成されている。雌ねじ部４９は、当接部２２ｃの貫通孔２２ｄの位置に合わせて固定されている。一方、外端子台２４には、連結部材４７を挿通可能な挿通孔２４ｃが形成されている。したがって、連結部材４７が外端子台２４の挿通孔２４ｃに外側から挿入されて、挿入部３０の挿通孔３０ａに挿通されると、この連結部材４７は、当接部２２ｃの貫通孔２２ｄを貫通して、雌ねじ部４９に到達する。そして、頭部４８を回転させることによって、雄ねじ部４７ａを雌ねじ部４９に螺合させることができ、頭部４８が外端子台２４の正面部２４ａの外面に当接することにより、外端子台２４と内端子台２２とが互いに連結された状態で固定される。
【００３５】
内側コネクタ４２は、挿入部３０の先端部に固定されている。そして、外側コネクタ４４は、連結手段２８によって内端子台２２と外端子台２４とを互いに連結することによって内側コネクタ４２に結合される位置に設けられている。外側コネクタ４４は、図略の部材を介して外端子台２４に固定されている。
【００３６】
端子ユニット２０を環境試験装置１０の断熱壁１４に取り付けるには、まず、内端子台２２を試験室１２内に配置するとともに、挿入部３０を断熱壁１４の導通孔１５に槽内側から挿入する。そして、内端子台２２の当接部２２ｃを断熱壁１４の内壁１４ａに当接させる。このとき、内端子台２２の周面部２２ｂの縁部は断熱壁１４の内壁１４ａに接触する。この状態で内端子台２２が断熱壁１４に仮保持される。
【００３７】
一方、外端子台２４は試験室１２外に配置され、外端子台２４の挿通孔２４ｃに連結部材４７を挿入する。連結部材４７は、挿入部３０の挿通孔３０ａに挿通されるとともに当接部２２ｃの貫通孔２２ｄを貫通して、雌ねじ部４９に到達する。そして、頭部４８を回すことによって、連結部材４７の雄ねじ部４７ａが雌ねじ部４９に螺合するため、頭部４８が外端子台２４の正面部２４ａに当接するまで頭部４８を回すと、外端子台２４と内端子台２２とが互いに連結される。
【００３８】
以上説明したように、本実施形態では、内端子台２２を断熱壁１４における試験室１２側の外面の外側（槽内側）に配置する一方で、外端子台２４を断熱壁１４における試験室１２とは反対側の外面の外側（槽外側）に配置し、この状態で、断熱壁１４の導通孔１５に挿通される連結部材４７によって内端子台２２と外端子台２４とを連結することができる。そして、外端子台２４の端子３４には、外部の測定器や電源等に繋がれた電気線を接続するため、結線作業は非常に楽であり、しかも時間も要しない。一方、試験対象となる試料には、試験室１２外で電気線を結線し、その後、当該試料を試験室１２内に配置することができる。したがって、試料を試験室１２内にセットした後は、試料に結線された電気線を内端子台２２の端子に結線するだけでよい。すなわち、試料への細かな配線や半田付け等を試験室１２外で行うことができるため、手間のかかる試料への結線作業の負担を軽減することができる。しかも、狭い試験室１２内での作業は、試料に結線された電気線を内端子台２２の端子に結線するだけでいい。このため、狭い試験室１２内での作業を減らすことができ、作業者の負担を軽減できるとともに作業時間を低減することができる。したがって、試験準備作業の効率化を図ることができる。また、内端子台２２の端子３２と外端子台２４の端子３４とはコネクタ手段２６によって電気的に接続されているので、試料に結線された電気線を内端子台２２の端子３２に接続することにより、試料は、試験室１２外部からの電力供給や試験室１２外部との信号の授受が可能な状態となる。
【００３９】
しかも本実施形態では、挿入部３０によって導通孔１５を塞ぐことができるため、断熱壁１４における断熱性能が低下することを抑制することができる。しかも、挿入部３０には連結部材４７を挿通させる挿通孔３０ａが形成されているため、連結部材４７によって内端子台２２と外端子台２４とを連結する構成の妨げにもならない。
【００４０】
また本実施形態では、挿入部３０が変形容易な材質で形成されているため、導通孔１５内にコネクタ手段２６の電気線３６を挿通する際に、挿入部３０が邪魔になり難くすることができる。
【００４１】
また本実施形態では、内端子台２２の当接部２２ｃが挿入部３０に固定されているため、挿入部３０が導通孔１５に挿入されると、内端子台２２が断熱壁１４に対して保持される。このため、連結手段２８によって外端子台２４を内端子台２２に連結するときに、内端子台２２を一時的に固定することができる。したがって、内端子台２２に外端子台２４を連結する作業の負担を軽減することができる。そして、先端部に雄ねじ部４７ａが形成された連結部材４７を外端子台２４の挿通孔２４ｃに外側から挿入するとともに導通孔１５内に挿入し、先端部が内端子台２２の雌ねじ部４９に届いたところで、連結部材４７を軸回りに回動することにより雄ねじ部４７ａが雌ねじ部４９に螺合される。これにより、連結部材４７を内端子台２２に締結することができる。したがって、内端子台２２に対する外端子台２４の連結作業を試験室１２外での作業とすることができ、試験準備作業の効率化を図ることができる。
【００４２】
また本実施形態では、外側コネクタ４４が、内端子台２２と外端子台２４とが互いに連結されることによって内側コネクタ４２に結合される位置に設けられている。このため、連結手段２８によって内端子台２２と外端子台２４とを互いに連結することにより、外側コネクタ４４が内側コネクタ４２に結合される。したがって、コネクタの結合作業を簡素化することができ、試験準備作業の効率化を図ることができる。
【００４３】
なお、本発明は、前記実施形態に限られるものではなく、その趣旨を逸脱しない範囲で種々変更、改良等が可能である。前記実施形態では、外側コネクタ４４が、内端子台２２と外端子台２４とが互いに連結されることによって内側コネクタ４２に結合される位置に設けられている。しかし、この形態に限られるものではない。図４に示すように、内側コネクタ４２は、電気線３６を介して内端子台２２の端子３２に電気的に接続されているものの、挿入部３０には固定されておらず、自由に位置を変えられる構成としてもよい。この場合、挿入部３０を断熱壁１４の導通孔１５に挿入した後、内側コネクタ４２と外側コネクタ４４とを互いに結合させることができる。この場合、外側コネクタ４４は、外端子台２４に固定されている必要はない。すなわち、外側コネクタ４４は、自由に位置を変えられる状態で電気線３８に繋がれている状態であってもよい。この場合、コネクタ４２，４４同士を接続した後に、外端子台２４を断熱壁１４の外壁１４ｂに接触させるようにしてもよい。
【００４４】
また、前記実施形態では、挿入部３０がその長さ方向に亘って同じ断面形状を有する構成としたが、これに限られるものではない。例えば、図５に示すように、挿入部３０は、異なる断面形状からなる複数の部位を有していてもよい。すなわち、挿入部３０は、当接部２２ｃに繋がる第１部位３０ｃと、この第１部位３０ｃよりも断面積の小さな第２部位３０ｄとを有している。第１部位３０ｃは、例えば内径５０ｍｍの導通孔１５に対応する断面形状となっており、第２部位３０ｄは、例えば内径２５ｍｍの導通孔１５に対応する断面形状となっている。この構成であれば、端子ユニット２０は、導通孔１５の大きさや形状の異なる複数の環境試験装置１０に対して、共通の端子ユニット２０とすることができる。したがって、管理品番数が増大することを抑制することができる。
【００４５】
前記実施形態では、雌ねじ部４９が当接部２２ｃに固定された構成としたが、これに代え、雌ねじ部４９が内端子台２２の正面部２２ａに固定された構成としてもよい。この場合、正面部２２ａにも挿通孔が形成されることとなる。
【００４６】
前記実施形態では、内端子台２２に雌ねじ部４９が固定されるともに、雄ねじ部４７ａを有する連結部材４７を外端子台２４の外側から挿入し、連結部材４７を回して雌ねじ部４９に結合させる構成としたが、これに限られるものではない。例えば、連結部材４７が内端子台２２に固定されていてもよい。この場合、連結部材４７は、挿通孔３０ａ内を通って外端子台２４に向かって延びるように配設されており、先端部に位置する雄ねじ部４７ａは、外端子台２４が断熱壁１４の外壁１４ｂに接触するように配置されたときに、外端子台２４の挿通孔２４ｃから突出するように構成されている。そして、外端子台２４から外側に突出した雄ねじ部４７ａに対して雌ねじ部４９を螺合させることができる。この場合でも、雌ねじ部４９を回す作業を試験室１２の外で行うことができる。
【００４７】
試料と内端子台２２の端子３２との接続は、試験室１２の外で行ってもよい。この場合、端子３２に接続された試料を試験室１２にセットするとともに、当該端子３２が試料に繋がれた内端子台２２を断熱壁１４に固定することになる。
【符号の説明】
【００４８】
１０  環境試験装置
１２  試験室
１４  断熱壁
１４ａ  内壁
１４ｂ  外壁
１４ｃ  断熱材
１５  導通孔
２０  端子ユニット
２２  内端子台
２２ｃ  当接部
２４  外端子台
２４ｃ  挿通孔
２６  コネクタ手段
２８  連結手段
３０  挿入部
３０ａ  挿通孔
３２  端子
３４  端子
３６  電気線
３８  電気線
４２  内側コネクタ
４４  外側コネクタ
４７  連結部材
４７ａ  雄ねじ部
４８  頭部
４９  雌ねじ部
【図１】
2014163718.tif 000003
【図２】
2014163718.tif 000004
【図３】
2014163718.tif 000005
【図４】
2014163718.tif 000006
【図５】
2014163718.tif 000007